(57)【特許請求の範囲】
【請求項１】
照明システムの複数の照明ユニットを制御する照明システムコントローラであって、前記照明システムコントローラは、通信インターフェースと、前記通信インターフェースに動作可能に結合された論理回路とを含み、
前記論理回路は、
所定の時間間隔の反復内で前記通信インターフェースを介して、前記照明システムに関連付けられた２つ以上のセンサから、２つ以上のセンサイベントの指摘を受信し、
前記所定の時間間隔は、事前にプログラムされている時間間隔、又はユーザによって操作されるコンピューティング機器から受信される、ユーザが選択した時間間隔であり、
前記２つ以上のセンサイベントは、前記２つ以上のセンサに関連付けられた２つ以上の照明ユニットを通電させるものであり、
前記論理回路は、
前記センサイベントの結果として前記所定の時間間隔の反復内で通電される前記２つ以上の照明ユニットをグループとしてコミッショニングする、
照明システムコントローラ。
【請求項２】
前記２つ以上の照明ユニットのグループにグループアドレスを割り当てる、請求項１に記載の照明システムコントローラ。
【請求項３】
前記照明システムに関連付けられた前記２つ以上のセンサのうちの少なくとも１つは、前記照明システムの特定の照明ユニットと一体化されている、請求項１に記載の照明システムコントローラ。
【請求項４】
前記照明システムに関連付けられた前記２つ以上のセンサのうちの少なくとも１つは、存在検出センサである、請求項１に記載の照明システムコントローラ。
【請求項５】
前記照明システムに関連付けられた前記２つ以上のセンサのうちの少なくとも１つは、照明器具若しくは照明ユニットに印加される力、又は前記照明器具若しくは前記照明ユニットの動きを検出する、加速度計又はジャイロスコープである、請求項１に記載の照明システムコントローラ。
【請求項６】
前記照明システムに関連付けられた前記２つ以上のセンサのうちの少なくとも１つは、照明器具への接触を検出する容量センサである、請求項１に記載の照明システムコントローラ。
【請求項７】
前記照明システムに関連付けられた前記２つ以上のセンサのうちの少なくとも１つは、第三者ネットワークサービスからの信号を感知する、請求項１に記載の照明システムコントローラ。
【請求項８】
前記第三者ネットワークサービスからの信号は、ソーシャルネットワーク上で発生しているイベントを含む、請求項７に記載の照明システムコントローラ。
【請求項９】
前記第三者ネットワークサービスからの信号は、ニュースサービス、気象サービス、又はスポーツ報道サービスからの更新を含む、請求項７に記載の照明システムコントローラ。
【請求項１０】
前記２つ以上の照明ユニットのグループを了承するか、拒否するか、又は更に変更するようにユーザを促す出力をモバイルコンピューティング機器に表示させるデータを、前記モバイルコンピューティング機器へ通信インターフェースを介して提供する、請求項１に記載の照明システムコントローラ。
【発明の詳細な説明】
【技術分野】
【０００１】
関連出願の相互参照
[0001]  実用的な本出願は、参照により全体が本明細書に組み込まれる、「AUTOMATICALLY COMMISSIONING A GROUP OF LIGHTING UNITS」という名称の２０１４年６月２６日を出願日とする米国特許出願第６１／０１７，５００号である現在係属中の仮出願に対する優先権を主張し、且つその利益を享受するものである。
【０００２】
[0002]  本発明は、概して、照明制御に向けられている。より具体的には、本明細書に開示される様々な本発明の方法及び装置は、様々な検出されたイベント及び／又は刺激に基づいて２つ以上の照明ユニットをグループとしてコミッショニングすることに関する。
【背景技術】
【０００３】
[0003]  デジタル照明技術、即ち、発光ダイオード（「ＬＥＤ」：light-emitting diode）などの半導体光源に基づく照明は、従来の蛍光灯、ＨＩＤ、及び白熱灯に代わる実現性のある代替物を提供する。ＬＥＤの機能的な長所及び利点としては、高いエネルギー変換効率及び光学効率、耐久性、低い運用コスト、並びにその他多数が挙げられる。ＬＥＤ技術の最近の進歩は、多くの用途において様々な照明効果を可能にする、効率的且つ堅牢なフルスペクトルの光源をもたらしている。これらの光源を具現化する器具のうちの幾つかは、例えば赤色、緑色、及び青色などの異なる色を生成することができる１つ又は複数のＬＥＤと、これに加えて、例えば参照により本明細書に組み込まれる米国特許第６，０１６，０３８号及び同第６，２１１，６２６号に詳細に議論されているように、様々な色を生成し且つ色を変化させる照明効果を生み出すために、ＬＥＤの出力を独立して制御するためのプロセッサとを含む、照明モジュールを特徴とする。
【発明の概要】
【発明が解決しようとする課題】
【０００４】
[0004]  照明ユニットを手動でグループ化するのは、有用であるが、時間がかかることがある。既存の手法は、照明ユニットの数が少なく、且つ／又は時間が経過しても変化する可能性が低い場合、使用するのに十分に簡単である。しかしながら、例えばシャンデリアにおいて又は家庭若しくは会社の広い領域において、潜在的に多数の照明ユニットが論理的にグループ化されることがある状況では、手動で照明ユニットをグループ化することは、とりわけ時間が経過すると幾つかのユニットが交換されなくてはならない場合に煩わしいことがある。
【課題を解決するための手段】
【０００５】
[0005]  本開示は、２つ以上の照明ユニットをグループとして自動的にコミッショニングするための本発明の方法及び装置に向けられている。例えば、照明システムコントローラ又はブリッジなどのネットワークノードは、所定の時間間隔内で、様々な種類のセンサから２つ以上のセンサイベントを受信することができる。これらのセンサイベントは、センサに関連付けられた２つ以上の照明ユニットを通電させるものであり得る。ネットワークノードは、センサイベントの結果として通電される光源の論理的なグループをコミッショニングする（又はそのコミッショニングを提案する）ことができる。
【０００６】
[0006]  一般的に、一態様において、照明システムコントローラは、照明システムの複数の照明ユニットを制御するように構成され得、且つ１つ又は複数のプロセッサ、論理回路に動作可能に結合された通信インターフェース、及びメモリなどの論理回路を含むことができる。論理回路は、照明システムの複数の照明ユニットのうちの２つ以上の照明ユニットのグループをコミッショニングするための時間間隔を決定し、時間間隔の反復内で通信インターフェースを介して、照明システムに関連付けられた２つ以上のセンサから、２つ以上のセンサイベントの指摘を受信し、且つ照明システムの２つ以上の照明であって、それぞれが２つ以上のセンサイベントのうちの少なくとも１つによって影響を受ける、２つ以上の照明ユニットを含むように、２つ以上の照明ユニットのグループをコミッショニングするように構成され得る。
【０００７】
[0007]  様々な実施形態において、時間間隔は、ユーザによって操作されるコンピューティング機器から受信される、ユーザが選択した時間間隔である。様々な実施形態において、照明システムコントローラは、２つ以上の照明ユニットのグループにグループアドレスを割り当てるように更に構成され得る。様々な実施形態において、照明システムに関連付けられた２つ以上のセンサのうちの少なくとも１つは、照明システムの特定の照明ユニットと一体化されている。様々な実施形態において、照明システムに関連付けられた２つ以上のセンサのうちの少なくとも１つは、存在検出センサである。様々な実施形態において、照明システムに関連付けられた２つ以上のセンサのうちの少なくとも１つは、照明器具若しくは照明ユニットに印加される力、又は照明器具若しくは照明ユニットの動きを検出するように構成される加速度計若しくはジャイロスコープである。様々な実施形態において、照明システムに関連付けられた２つ以上のセンサのうちの少なくとも１つは、照明器具への接触を検出するように構成される容量センサである。
【０００８】
[0008]  様々な実施形態において、照明システムに関連付けられた２つ以上のセンサのうちの少なくとも１つは、第三者ネットワークサービスからの信号を感知するように構成される。様々な変形形態において、第三者ネットワークサービスからの信号は、ソーシャルネットワーク上で発生しているイベントを含む。様々な変形形態において、第三者ネットワークサービスからの信号は、ニュースサービス、気象サービス、又はスポーツ報道サービスからの更新を含む。
【０００９】
[0009]  様々な実施形態において、照明システムコントローラは、照明システムの２つ以上の照明ユニットであって、それぞれが２つ以上のセンサイベントのうちの少なくとも１つによって影響を受け、一致する特性を有する光を出力するようにも構成される、２つ以上の照明ユニットを含むように、２つ以上の照明ユニットのグループをコミッショニングするように更に構成され得る。様々な実施形態において、照明システムコントローラは、２つ以上の照明ユニットのグループを了承するか、拒否するか、又は更に変更するようにユーザを促す出力をモバイルコンピューティング機器に表示させるように構成されたデータを、モバイルコンピューティング機器へ通信インターフェースを介して提供するように更に構成され得る。
【００１０】
[0010]  別の態様では、方法は、照明システムに関連付けられた複数の照明ユニットのうちの２つ以上の照明ユニットのグループをコミッショニングするための時間間隔を、照明システムに関連付けられたネットワークノードによって決定するステップと、照明システムの２つ以上の照明ユニットの各々によって放射される光の１つ又は複数の特性を、ネットワークノードによって決定するステップと、一致する特性を有する光を出力するように構成され、且つ時間間隔の反復内でネットワークノードに対する識別子を提供されるか、又は時間間隔の反復内で照明システムに関連付けられた２つ以上のセンサによって発生されるセンサイベントによって影響される、照明システムの２つ以上の照明ユニットを含むように、２つ以上の照明ユニットのグループをネットワークノードによってコミッショニングするステップとを含む。
【００１１】
[0011]  別の態様において、方法は、複数の照明ユニットから２つ以上の照明ユニットのグループのコミッショニングを開始するための命令をモバイルコンピューティング機器から受信するステップと、複数の照明ユニットのうちの２つ以上の照明ユニットから、照明ユニットが通電されたとの指摘を受信するステップと、モバイルコンピューティング機器から、２つ以上の照明ユニットのグループのコミッショニングを停止するための命令を受信するステップと、２つ以上の通電された照明ユニットにグループアドレスを割り当てるステップとを含む。
【００１２】
[0012]  本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、アンバー色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：full widths at half maximum））、及び所与の一般的な色分類内で様々な支配的波長を有する放射（例えば狭帯域幅、広帯域幅）を発生させるように構成及び／又は制御することができることを理解すべきである。
【００１３】
[0013]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００１４】
[0014]  なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学的要素（例えば拡散レンズ）を含むＬＥＤ等を指す。
【００１５】
[0015]  「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源、パイロルミネセンス源（例えば火炎）、キャンドルルミネセンス源（例えばガスマントル光源、カーボンアーク放射光源）、フォトルミネセンス源（例えばガス状放電光源）、電子飽和（electronic satiation）を使用する陰極発光源（cathode luminescent source）、ガルバノルミネセンス源、結晶発光（crystallo-luminescent）源、キネルミネセンス（kine-luminescent）源、熱ルミネセンス源、摩擦ルミネセンス（triboluminescent）源、音ルミネセンス（sonoluminescent）源、放射ルミネセンス（radioluminescent）源、及び発光ポリマー（luminescent polymers）を含む、様々な放射源のうちの任意の１つ以上を指すと理解すべきである。
【００１６】
[0016]  所与の光源は、可視スペクトル内、可視スペクトル外、又は両者の組合せでの電磁放射を発生する。したがって、「光」及び「放射」との用語は、本明細書では同義で使用される。さらに、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００１７】
[0017]  「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。さらに、所与のスペクトルは、比較的狭い帯域幅（例えば、ＦＷＨＭは、基本的に、周波数又は波長成分をほとんど有さない）、又は、比較的広い帯域幅（様々な相対強度を有する幾つかの周波数又は波長成分）を有してよい。当然のことながら、所与のスペクトルは、２つ以上の他のスペクトルを混合（例えば、複数の光源からそれぞれ放射された放射を混合）した結果であってよい。
【００１８】
[0018]  本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。さらに、当然のことながら、「色」との用語は、白色光及び非白色光の両方との関連で使用されてもよい。
【００１９】
[0019]  「色温度」との用語は、本明細書では、通常、白色光に関連して使用されるが、その使用は、当該用語の範囲を限定することを意図していない。色温度は、基本的に、白色光の特定の色内容又は陰（例えば、赤みを帯びた、青みを帯びた）を指す。所与の放射サンプルの色温度は、従来から、問題とされている放射サンプルと同じスペクトルを基本的に放射する黒体放射体のケルビン度数（Ｋ）の温度に応じて特徴付けられている。黒体放射体の色温度は、通常、約７００度Ｋ（通常、人間の目に最初に可視となると考えられている）から１０，０００度Ｋ超の範囲内であり、白色光は、通常、約１５００〜２０００度Ｋより高い色温度において知覚される。
【００２０】
[0020]  低色温度は、通常、より顕著な赤色成分、すなわち、「温かい印象」を有する白色光を示す一方で、高色温度は、通常、より顕著な青色成分、すなわち、「冷たい印象」を有する白色光を示す。一例として、炎は約１，８００度Ｋの色温度を有し、従来の白熱電球は約２８４８度Ｋの色温度を有し、早朝の日光は約３，０００度Ｋの色温度を有し、曇った日の真昼の空は約１０，０００度Ｋの色温度を有する。約３，０００度Ｋの色温度を有する白色光の下で見られたカラー画像は、比較的赤みの帯びた色調を有する一方で、約１０，０００度Ｋの色温度を有する白色光の下で見られたカラー画像は、比較的青みの帯びた色調を有する。
【００２１】
[0021]  「照明固定具」、「照明器具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００２２】
[0022]  「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００２３】
[0023]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。
【００２４】
[0024]  「アドレス可能」との用語は、本明細書では、自分自身を含む複数のデバイスに向けた情報（例えばデータ）を受信して、自分自身に向けられた特定の情報に選択的に応答するデバイス（例えば、光源全般、照明ユニット又は固定具、１つ以上の光源若しくは照明ユニットに関連付けられたコントローラ又はプロセッサ、他の非照明関連デバイス等）を指すために使用される。「アドレス可能」との用語は、多くの場合、ネットワークで結ばれた環境（すなわち、以下に詳細に説明される「ネットワーク」）に関連して使用され、ネットワークで結ばれた環境では、複数のデバイスが何らかの１つ以上の通信媒体を介して互いに結合されている。
【００２５】
[0025]  １つのネットワーク実施態様では、ネットワークに結合された１つ以上のデバイスが、当該ネットワークに結合された１つ以上の他のデバイスのコントローラとしての機能を果たす（例えばマスタ／スレーブ関係において）。別の実施態様では、ネットワークで結ばれた環境は、当該ネットワークに結合されたデバイスのうちの１つ以上を制御する１つ以上の専用コントローラを含む。通常、ネットワークに結合された複数のデバイスは、それぞれ、１つ以上の通信媒体上にあるデータへのアクセスを有するが、所与のデバイスは、例えば、当該デバイスに割り当てられた１つ以上の特定の識別子（例えば「アドレス」）に基づいて、ネットワークとデータを選択的に交換する（すなわち、ネットワークからデータを受信する及び／又はネットワークにデータを送信する）点で、「アドレス可能」である。
【００２６】
[0026]  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。さらに、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。さらに、容易に理解されるように、本明細書で説明されたデバイスの様々なネットワークは、ネットワーク全体に亘る情報の転送を容易にするために、１つ以上のワイヤレス、ワイヤ／ケーブル、及び／又は光ファイバリンクのリンクを使用できる。
【００２７】
[0027]  「ユーザインターフェース」との用語は、本明細書において使用される場合、人間であるユーザ又はオペレータと、当該ユーザとデバイス間の通信を可能にする１つ以上のデバイスとの間のインターフェースを指す。本開示の様々な実施態様に使用されてもよいユーザインターフェースの例は、次に限定されないが、スイッチ、電位差計、ボタン、ダイアル、スライダ、マウス、キーボード、キーパッド、様々なタイプのゲームコントローラ（例えばジョイスティック）、トラックボール、ディスプレイスクリーン、様々なタイプのグラフィカルユーザインターフェース（ＧＵＩ）、タッチスクリーン、マイクロホン、及び、人間が生成した何らかの形の刺激を受信し、それに応答して信号を生成する他のタイプのセンサを含む。
【００２８】
[0028]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【図面の簡単な説明】
【００２９】
[0029]  図面中、同様の参照符号は、全般的に様々な図を通して同じ部分を指している。さらに、図面は必ずしも縮尺通りではなく、重点は全体的に本発明の原理の説明に置かれている。
【００３０】
【図１】[0030]  様々な実施形態に従って、開示される技術が実施され得る例示的な環境を示す。
【図２】[0031]  様々な実施形態に従って、照明ユニットが設置された例示の照明器具を示す。
【図３】[0032]  様々な実施形態に従って、照明ユニットをグループにコミッショニングする例示の工程を示す。
【図４】[0033]  様々な実施形態に従って、照明システムコントローラ又はブリッジなどのネットワークノードによって実施され得る例示の方法を示す。
【発明を実施するための形態】
【００３１】
[0034]  照明ユニットを手動でグループ化するのは、有用であるが、時間がかかることがある。既存の手法は、照明ユニットの数が少なく、且つ／又は時間が経過しても変化する可能性が低い場合、使用するのに十分に簡単である。しかしながら、例えばシャンデリアにおいて又は家庭若しくは会社の広い領域において、潜在的に多数の照明ユニットが論理的にグループ化されることがある状況では、手動で照明ユニットをグループ化することは、とりわけ時間が経過すると幾つかのユニットが交換されなくてはならない場合に煩わしいことがある。従って、本出願人らは、最小限のユーザの介入で照明ユニットを自動的にグループ化することが有益であることを認識している。様々な実施形態において、照明システムの複数の照明ユニットのうちの２つ以上の照明ユニットのグループをコミッショニングするために、時間間隔が決定され得る。時間間隔の反復内で、照明システムに関連付けられた２つ以上のセンサから、２つ以上のセンサイベントの指摘が受信され得る。グループは、照明システムの２つ以上の照明ユニットであって、それぞれが２つ以上のセンサイベントのうちの少なくとも１つによって影響を受ける、２つ以上の照明ユニットを含むようにコミッショニングされ得る。
【００３２】
[0035]  図１を参照すると、一実施形態では、照明システム１００が１つ又は複数の照明ユニット１０２ａ〜ｆを含むことができる。総称として「照明ユニット１０２」と呼ばれることがある照明ユニット１０２ａ〜ｆは、様々な形態を取ることができ、白熱電球、ＬＥＤ、蛍光灯、ハロゲン等などの様々な種類の光源を用いることができる。照明ユニット１０２ａ〜ｆ（及び／又はそれらが設置される「スマート」照明器具）は、ローカルエリアネットワーク（「ＬＡＮ」：local area network）１０６などの１つ又は複数のネットワーク越しに、照明システムブリッジ１０４などの照明システムコントローラとして機能することができる様々なネットワークノードと通信することができる。様々な実施形態において、ＬＡＮ１０６に加えて又はＬＡＮ１０６の代わりに、１つ又は複数の照明ユニット１０２ａ〜ｆは、これに限定するものではないが、ZigBee（登録商標）、BlueTooth（登録商標）、Wi-Fi（登録商標）（Wi-Fi（登録商標） Directを含む）、近距離無線通信（「ＮＦＣ」：near field communication）等などの１つ又は複数のアドホックのネットワークを含む、様々な他の有線及び無線ネットワーク技術を使用して、照明システムブリッジ１０４と通信することができる。図１には示されていないが、様々な実施形態では、照明システムブリッジ１０４などの照明システムコントローラは、１つ又は複数のプロセッサ、１つ又は複数の通信インターフェース、論理回路によって実行され得る命令を記憶するメモリ、及び他の標準的なコンピューティング部品などの論理回路を含むことができる。
【００３３】
[0036]  第１の照明ユニット１０２ａ及び第２の照明ユニット１０２ｂは、例えば、ランプ、吊り下げランプ等などの独立型の照明器具に設置された独立型の照明ユニットである。残りの照明ユニット１０２ｃ〜ｆは、マルチユニット照明器具１０８内に一緒に設置されている。照明器具１０８は、様々な形状因子を取ることができ、図１に示されたものよりも多い又少ない照明ユニットを含むことができる。例えば、幾つかの実施形態では、照明器具１０８は、照明ユニットを受けるための数十個以上のソケットを含むシャンデリアであり得る。
【００３４】
[0037]  １つ又は複数の照明ユニット１０２は、１つ又は複数のセンサ１１０ａ〜ｃ（総称して「センサ１１０」と呼ばれる）と通信していることがあり、幾つかの場合では一体化していることがある。センサ１１０は、様々な形態を取ることができる。幾つかの実施形態では、１つ又は複数のセンサ１１０は、これに限定するものではないが、受動的な赤外線、超音波、マイクロ波、及び／又は断層撮影の動き検出を含む、様々な存在感知技術を使用して、人又は物体の存在を感知することができる。幾つかの実施形態では、１つ又は複数のセンサ１１０は、１つ又は複数の照明ユニット１０２及び／又は照明器具１０８への接触、及び／又はこれらに印加される力、又はこれらの動きを検出するように構成され得、加速度計、ジャイロスコープ、容量式タッチセンサ等を含むことができる。幾つかの実施形態では、１つ又は複数のセンサ１１０は、これに限定するものではないが、温度計、気圧計、光センサ（例えば、フォトダイオード、光センサとしてのＬＥＤ、比色計など）、音センサ（例えば、「拍手」センサ）等を含む、他の形態を取ることができる。
【００３５】
[0038]  様々な実施形態では、「センサイベント」とも呼ばれる、センサ１１０からの信号又は指摘が、対応する照明ユニット１０２に通電させるか、送電を絶たせるか、又は他にそれらの光出力を変更させることができる。例えば、第１のセンサ１１０ａ及び第２のセンサ１１０ｂは、第１の照明ユニット１０２ａ及び第２の照明ユニット１０２ｂによってそれぞれ感知されると、これらの照明ユニットを通電と非通電との間でトグルするセンサイベントを発生させるように構成される存在検出センサであり得る。第３のセンサ１１０ｃも存在検出センサであり得るが、その代わり、照明器具の全ての照明ユニット１０２ｃ〜ｆによって感知されるセンサイベントを発生させ、その結果、これらの照明ユニットの全てが一様な態様で通電するか、又は送電を絶つ（又は他に光出力を変更する）ように構成され得る。本明細書で言及される例では主として存在検出センサについて説明するが、これは、限定することを意味していない。先述したセンサの他の種類の何れか、又は他の述べられていないセンサが同様に使用され得る。
【００３６】
[0039]  １つ又は複数の外部サービス及び／又はアプリケーション１１４は、１つ又は複数の照明ユニット１０２を通電させるか、送電を絶たせるか、又は他に光出力を変更させることができるセンサイベントを発生させることができる。外部サービス及び／又はアプリケーション１１４は、ＬＡＮ１０６が（例えば、モデムを介して）接続され得るインターネット１１２を含むがこれに限定はされない１つ又は複数のネットワークを介して、照明システムブリッジ１０４などの照明システムコントローラと通信することができる。照明システムブリッジ１０４及び／又は１つ若しくは複数の照明ユニット１０２の動作が、外部サービス及び／又はアプリケーション１１４と様々な態様で関連付けられ得る。幾つかの実施形態では、If This Then That、即ち「ＩＦＴＴＴ」などの接続技術が、外界のイベントを１つ又は複数の照明ユニット１０２の光出力に接続するために使用され得る。
【００３７】
[0040]  外部サービス及び／又はアプリケーション１１４は、様々な形態を取り得る。１つの例は、ソーシャルネットワークサービスである。ソーシャルネットワークサービス、又は単に「ソーシャルネットワーク」は、１つ又は複数の照明ユニット１０２の光出力に影響を与え得る様々な形態でセンサイベントを提供することができる。例えば、到来する又は発信するソーシャルネットワークメッセージ、友達要求、イベント招待、掲示板への投稿、ステータス変更、写真アップロードである  −  照明システムブリッジ１０４及び／又は照明ユニット１０２は、１つ又は複数の照明ユニット１０２によって放射されることになる光の１つ又は複数の特性を選択するときに、これらのセンサイベントを考慮に入れるように構成され得る。
【００３８】
[0041]  外部サービス及び／又はアプリケーション１１４の別の例は、ウェブサービスであり得る。照明システムブリッジ１０４及び／又は１つ若しくは複数の照明ユニット１０２は、シンプルオブジェクトアクセスプロトコル（「ＳＯＡＰ」：Simple Object Access Protocol）、ウェブサービス記述言語（「ＷＳＤＬ」：Web Services Description Language）、レプリゼンテーショナルステートトランスファー（「ＲＥＳＴ」：representational state transfer）ベースの通信等などの様々な通信技術及び／又は方法論を使用して、１つ又は複数のウェブサービスと通信するように構成され得る。例えば、ユーザは照明システムブリッジ１０４を、選択されたトピック（例えば、お気に入りのスポーツチーム、関心のある有名人、関心のある場所、天気の更新等）についてのニュースの更新を提供する、ニュース、気象、及び／又はスポーツ報道のウェブサービスに接続させることができる。ニュース速報が発生すると、照明システムブリッジ１０４が１つ又は複数の照明ユニット１０２を操作して、ユーザのお気に入りのチームがゴールを決めたときには明滅するなど、様々な種類の照明効果を発することができる。
【００３９】
[0042]  ユーザは、モバイルコンピューティング機器１１６を使用して、１つ又は複数の照明ユニット１０２及び／又は照明システムブリッジ１０４と通信することができる。モバイルコンピューティング機器１１６は、スマートフォン、タブレットコンピュータ、ノート型コンピュータ、ウェアラブルコンピューティング機器（例えば、スマートグラス、スマートウォッチ）等などの様々な形態を取ることができる。モバイルコンピューティング機器は、タッチスクリーン１１８などの１つ又は複数の出力デバイス、１つ又は複数のプロセッサ１２０などの論理回路、１つ又は複数のプロセッサ１２０などの論理回路に動作可能に結合されており、且つ１つ又は複数のプロセッサ１２０などの論理回路によって実行可能な命令を記憶しているメモリ１２２、及び通信インターフェース１２４を含むことができる。通信インターフェース１２４は、モバイルコンピューティング機器１１６による、図１に示された様々な他の部品との通信を可能にし、これに限定するものではないが、Wi-Fi（登録商標）、BlueTooth（登録商標）、アドホック（例えば、ZigBee（登録商標））、符号化された光、ＮＦＣ等を含む、様々な技術を使用することができる。
【００４０】
[0043]  第１のセンサ１１０ａが廊下の第１の端に配置され、第２のセンサ１１０ｂが、廊下の反対側の第２の端に配置されていると想定する。ユーザが廊下の第１の端に入ってくると、ユーザの存在が第１のセンサ１１０ａによって感知され、第１のセンサ１１０ａがセンサイベントを発生させる。このセンサイベントは第１の照明ユニット１０２ａによって検出され、照明ユニット１０２ａはユーザのために廊下を照射するように通電する。しかしながら、ユーザが廊下を中程まで進むときには既に、第１の照明ユニット１０２ａからの光は、ユーザの道を適切に照らすには不十分であることがある。更に、ユーザは、第２のセンサ１１０ｂがユーザの存在を感知し、センサイベントを発生させて第２の照明ユニット１０２ｂを通電させるには、依然として十分に第２のセンサ１１０ｂに近付いていないことがある。ユーザは第１の照明ユニット１０２ａ及び第２の照明ユニット１０２ｂを纏めてグループとして手動でグループ化することができるが、これは、特に技術に長けていないユーザにとって面倒な処理であり得る。
【００４１】
[0044]  従って、様々な実施形態では、照明システムブリッジ１０４などの照明システム１００の１つ又は複数の構成要素は、１つ又は複数の照明ユニット１０２を、集合的に制御されるように構成される照明ユニットのグループとして自動的にコミッショニングするように構成され得る。照明システムブリッジ１０４は、この自動コミッショニングを様々な態様で実施することができる。幾つかの実施形態では、照明システムブリッジ１０４は、照明システム１００の２つ以上の照明ユニット１０２のグループをコミッショニングするための所定の時間間隔を開始することができる。所定の時間間隔の間、照明システムブリッジ１０４は、例えば照明システム１００に関連付けられた２つ以上のセンサ１１０から、２つ以上のセンサイベントの指摘を受信することができる。次いで、照明システムブリッジ１０４は、この２つ以上のセンサイベントのうちの少なくとも１つによって影響を受ける、照明システム１００の２つ以上の照明ユニット１０２を含むように、２つ以上の照明ユニット１０２のグループをコミッショニングすることができる。
【００４２】
[0045]  例えば照明システムブリッジ１０４によってコミッショニングのために使用される所定の時間間隔は、様々な態様で選択され得る。幾つかの実施形態では、この所定の時間間隔は、例えばモバイルコンピューティング機器１１６から受信される、ユーザが選択した時間間隔であり得る。例えば、ユーザは、ユーザが１つ以上のセンサ１１０にセンサイベントを発生させるであろう特定の時間間隔、例えば、３０秒又は１分間などを入力することができる。時間間隔が開始されると、ユーザは、ユーザがグループのメンバーにすることを希望する照明ユニットをトリガーするであろう全てのセンサを故意に活性化させることができる。例えば、ユーザはモバイルコンピューティング機器１１６を操作して時間間隔を開始し、次いで、廊下を歩いて第１のセンサ１１０ａ及び第２のセンサ１１０ｂをトリガーすることができる。結果として、照明ユニット１０２ａ及び照明ユニット１０２ｂがグループとしてコミッショニングされ得、その結果、センサ１１０ａ又は１１０ｂの何れかをトリガーすることにより両方の照明ユニットに通電させることができるようになる。
【００４３】
[0046]  他の実施形態では、所定の時間間隔は、事前にプログラムされていることがあり、又は他に特定の状況に対して適切であるように選択され得る。例えば、グループとなる可能性のある照明ユニットが全て同一の照明器具内にあるか、又は他に互いに非常に近接している場合、時間間隔は、例えば１秒又は２秒など、比較的短いことができる。一方、照明ユニットが家中に分散されている場合、より長い時間間隔が保証され得る。
【００４４】
[0047]  照明ユニットのグループは、様々な態様でコミッショニングされ得る。幾つかの実施形態では、例えば照明システムブリッジ１０４によって、２つ以上の照明ユニット１０２のグループの各々にグループアドレスが割り当てられ得る。追加的に又は代替的に、照明システムブリッジ１０４は、これらのグループアドレスを１つ又は複数のセンサ１１０のアドレスにマッピングすることができる。幾つかの実施形態では、照明システムブリッジ１０４は、とりわけ少なくとも１つのセンサが特定の照明ユニット１０２に関連付けられていない（例えば、一体化されていない）場合、１つ又は複数のセンサ１１０を纏めてグループ化することもできる。
【００４５】
[0048]  幾つかの実施形態では、照明ユニットはそれほど決定的ではなく纏めてグループ化され得る。例えば、幾つかの実施形態では、照明ユニットは、様々な形態の相関又は類似度の尺度を使用して、例えば類似度によって、互いに相関付けられ得る。幾つかのそのような実施形態では、高い相関のある（又は類似の、又は関連した）照明ユニットのグループは、特定の基準が満たされる（例えば、壁のスイッチＡがオンになる）場合には集合的に動作することがあるが、その条件が満たされないか又は別の基準が満足される場合には、より独立して動作することがある。例えば、進入路に沿って、正面の廊下を通り、主寝室へと通じる経路を照射する照明ユニットは、通常は比較的独立して動作することができるが、午後１０：３０よりも遅い時間、又は光センサが昼光の閾値量を下回って測定するなど、昼光に関連した基準が満たされる場合、（例えば、ドライブウェイの存在検出センサによってトリガーされる）グループとして動作することができる。
【００４６】
[0049]  前述したように、様々な種類のセンサイベントが、照明ユニット１０２及び／又はセンサ１１０をグループ化するために使用され得る。幾つかの実施形態では、照明システム１００に関連付けられた１つ又は複数のセンサ１１０及び／又は照明ユニット１０２は、第三者ネットワークサービス／アプリケーション１１４からの信号を感知するように構成され得る。２つ以上の照明ユニット１０２が所定の時間間隔内でそのようなイベントに応答する場合、照明システムブリッジ１０４は、それらの２つ以上の照明ユニット１０２をグループに自動的にコミッショニングすることができる。例えば、照明器具１０８に設置された照明ユニット１０２ｃ〜ｆが、特定のチームがゴールを決めたことを示すネットワークサービスの更新に応答して、それぞれが個別に光るように構成されていると想定する。そのチームがゴールを決めたとき、第３のセンサ１１０ｃ及び／又は照明ユニット１０２ｃ〜ｆは、所定の時間間隔（例えば、１秒）内でセンサイベントを感知することができ、呼応して自動的に纏めてグループ化され得る。
【００４７】
[0050]  幾つかの実施形態では、照明システムブリッジ１０４は、モバイルコンピューティング機器１１６に、２つ以上の照明ユニットの提案されたグループを了承するか、拒否するか、又は更に修正するようにユーザを促す出力を有効にさせるように構成されたデータを、例えばモバイルコンピューティング機器１１６に提供することができる。このようにして、照明ユニット１０２の可能なグループが、ユーザの入力又は同意無しに単に生成されるのではなく、グループ化のためにユーザに対して効果的に「提案」され得る。幾つかの実施形態では、モバイルコンピューティング機器１１６は、例えば照明システムブリッジ１０４によって提案された照明ユニット１０２の可能なグループをユーザが了承するか又は拒否するかを確認するためにユーザによって操作可能である出力を、例えばタッチスクリーン１１８上に表示することができる。例えば、特定の時間間隔内で幾つかのセンサイベントが検出されるのに応答して、モバイルコンピューティング機器１１６は、何れの照明ユニット１０２及び／又はセンサ１１０が一緒にグループ化されたかを示す出力をタッチスクリーン１１８上に表示することができ、そのグループを了承するか若しくは拒否するかをユーザに尋ねることができ、又はユーザが変更を加えることを可能にすることができる。
【００４８】
[0051]  幾つかの実施形態では、２つ以上の照明ユニット１０２のグループを自動的にコミッショニングする際に、１つ又は複数のセンサイベントに加えて他の信号が考慮に入れられ得る。幾つかの実施形態では、照明システムブリッジ１０４は、２つ以上の照明ユニット１０２によって出力される光の１つ又は複数の特性を追加的に又は代替的に考慮して、これらの照明ユニット１０２が十分に類似しているかどうかを判断することができる。例えば、照明システムブリッジ１０４は、幾つかの実施形態では、一致する特性を有する光を出力する２つ以上の照明ユニット１０２をグループ化する（又はグループ化するようにユーザに提案する）ように構成され得る。光の特性は、それらが一致するか又は互いに十分に類似している（例えば、互いの所定の閾値内にある照明特性値を有する）場合、「一致する」ことができる。
【００４９】
[0052]  第１及び第２の照明ユニット１０２ａ〜ｂがグループとして提案されるが、非常に異なる照明特性（例えば、色相、彩度、強度、色温度、即ち「ＣＣＴ」、明度等）を有する光を放射していると想定する。照明システムブリッジ１０４は、これらの差異に基づいて、これらの光を一緒にグループ化せず、またこれらの光を可能なグループとしてユーザに提示しないように決めることができる。一方で、第１及び第２の照明ユニット１０２ａ〜ｂが、互いの１０％以内にある色相又は彩度の値など、およそ同様の（しかし必ずしも全く同じではない）特性を有する光を放射すると想定する。そのような場合、照明システムブリッジ１０４は、第１及び第２の照明ユニット１０２ａ〜ｂを纏めてグループ化することができ、又は少なくとも、例えばモバイルコンピューティング機器１１６を介して、それらをグループとしてユーザに提案することができる。
【００５０】
[0053]  照明ユニット１０２をグループ化するために使用され得る別の種類の信号としては、観測される照明レベルの変動がある。第１のセンサ１１０ａがフォトダイオードなどの光センサであると想定する。第２の照明ユニット１０２ｂが第１の照明センサ１１０ａの十分近くにあると仮定すると、第２の照明ユニット１０２ｂが通電されたとき、放射される光は第１のセンサ１１０ａによって感知され得る。観測される光のこの急激な増加が何らかの所定の閾値を満足する場合、第１の照明ユニット１０２ａ及び第２の照明ユニット１０２ｂはグループ化される（又は可能なグループとして提案される）ことができる。これと同じ技術が、３つ以上の光に適用され得る。例えば、関連する複数の照明センサを備えた複数の照明ユニットが単一の照明器具内に設置されるか、又は他に互いに近接して設置される場合、それらの照明ユニットは、互いの放射される光の観測に基づいてグループ化される（又はグループとして提案される）ことができる。
【００５１】
[0054]  図２は、照明ユニット又は照明器具に印加される力、又は照明ユニット若しくは照明器具の動きが、照明ユニットを纏めてグループ化するために使用される例を示す。この例では、照明器具２０８には、４つの照明ユニット２０２ａ〜ｄが設置されている。各照明ユニット２０２は、図示されていない関連する運動センサ（例えば、加速度計、ジャイロスコープ等）を含んでいると仮定する。図示されるようにユーザが照明器具２０８に力を印加するか又は照明器具２０８を動かすと、その力は照明ユニット２０２ａ〜ｄの各々によって実質的に同時に検出され得る。照明システムブリッジ（図２には示されておらず、図１の１０４を参照のこと）は、比較的短い所定の時間間隔内であっても、これらの照明ユニット２０２ａ〜ｄによって実質的に同時に発生される４つのセンサイベントを検出するように構成され得る。次いで、照明システムブリッジはモバイルコンピューティング機器（図２には示されておらず、図１の１１６を参照のこと）に、ユーザが照明ユニット２０２ａ〜ｄの提案されたグループを了承するか、拒否するか、又は変更できるようにする出力を表示させることができる。照明ユニット２０２ａ〜ｄのうちの１つ又は複数が後で交換される場合、新しい照明ユニットが設置されると、その照明ユニットも運動検出センサを有していると仮定すると、照明ユニットを「再グループ化する」ために同じ工程が再び適用され得る。
【００５２】
[0055]  図３は、所定の時間間隔内で複数のセンサイベントが検出されるときに実施され得る工程３００の一例を示す。ブロック３０２において、例えば照明システムブリッジ１０４によってセンサイベントが待ち受けられている。ブロック３０４において、所定の時間間隔内で、例えば照明システムブリッジ１０４によって複数のセンサイベントが受信される。ブロック３０６において、センサイベントの何れかが新規の照明ユニットに関連付けられたセンサによって発生されたかどうかが判断される。そうではない場合、工程３００はブロック３０２に戻ることができる。しかしながら、新規の照明ユニットがある場合、方法はブロック３０８に進み、検出されたセンサイベントが全て新規の照明ユニットに対応するのか、又は新規の照明ユニット及び既存の照明ユニットの混合に対応するのかが判断される。回答が全て新規である場合、工程３００はブロック３１０に進むことができ、新規のグループが生成されるか、及び／又は提案され得る。ブロック３０８における回答が新規の照明ユニット及び既存の照明ユニットの混合である場合、工程３００はブロック３１２に進むことができ、ユーザは、新規のグループを生成するか又は既存のグループを修正するかを選択して任意の新規に検出された照明ユニットを含むように促される。
【００５３】
[0056]  図４は、様々な実施形態に従って、例えば照明システムブリッジ１０４などのネットワークノードによって実施され得る例示の方法４００を示す。ブロック４０２において、ネットワークノードは、複数の照明ユニットに関連付けられたセンサによって発生される複数のセンサイベントを検出することができる。ブロック４０４において、ネットワークノードは、ブロック４０２において検出された複数のセンサイベントが所定の時間間隔内で発生したかどうかを判断することができる。例えば、幾つかの実施形態では、ネットワークノードは、第１のセンサイベントの検出時にタイマーを始動させて時間間隔の反復を開始することができ、時間間隔が満了するまで、可能な照明ユニットのグループ化のためにセンサイベントを記録することができる。他の実施形態では、ネットワークノードは、検出されたネットワークイベントに関連付けられたタイムスタンプを遡及して吟味し、それらのイベントが所定の時間間隔内で発生したかどうかを判断することができる。ブロック４０４における回答がいいえである場合、グループ化は発生しないことができ、方法４００は開始に戻ることができる。
【００５４】
[0057]  しかしながら、ブロック４０４における回答がはいである場合、方法４００はブロック４０６に進むことができる。ブロック４０６において、ネットワークノードは、所定の時間間隔内で検出されたイベントを発生させたセンサと関連付けられた（例えば、センサによって影響を受ける）各照明ユニットによって放射される光の１つ又は複数の特性を決定することができる。ブロック４０８において、ネットワークノードは、選択された照明ユニットが一致する特性（例えば、十分に類似している、互いの所定の閾値内の値を有するなど）を有する光を放射しているかどうかを判断することができる。回答がいいえである場合、グループ化は発生しないことができ、方法４００は開始に戻ることができる。しかしながら、回答がはいである場合、方法４００はブロック４１０に進むことができる。ブロック４１０において、ネットワークノードは、例えばグループアドレスを割り当てることにより、所定の時間間隔内にセンサイベントを発生させたセンサに関連付けられた複数の照明ユニットをグループ化することができる。
【００５５】
[0058]  幾つかの実施形態では、ユーザは、照明ユニット及び／又はセンサのグループを手動で設定することができる。例えば、ユーザは、モバイルコンピューティング機器（例えば、図１の１１６）を操作して、照明システムブリッジ１０４などの、照明システムに対してコントローラとして機能するネットワークノードに対して、複数の照明ユニットからの２つ以上の照明ユニットのグループのコミッショニングを開始するように命令を出させることができる。次いで、ユーザは、グループの一部することを希望する２つ以上の照明ユニットの通電を、例えば、それらの照明ユニットを手動でオンにするか、又はそれらの照明ユニットを通電させるセンサを活性化させることにより、トリガーすることができる。ユーザがグループのコミッショニングを完了すると、ユーザはモバイルコンピューティング機器を操作して、ネットワークノードに対して、２つ以上の照明ユニットのグループのコミッショニングを停止するように命令を出させることができる。その命令が受信されると、ネットワークノードは、新規の照明ユニットをグループに追加するのを停止することができ、２つ以上の通電された照明ユニットに対してグループアドレスを割り当てることができる。
【００５６】
[0059]  幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００５７】
[0060]  本明細書にて定義されかつ用いられた定義はすべて、辞書の定義、参照することにより組み込まれた文献における定義、及び／又は、定義された用語の通常の意味に優先されて理解されるべきである。
【００５８】
[0061]  本明細書及び特許請求の範囲にて使用される「ａ」及び「ａｎ」の不定冠詞は、特に明記されない限り、「少なくとも１つ」を意味するものと理解されるべきである。
【００５９】
[0062]  本明細書及び特許請求の範囲にて使用される「及び／又は」との表現は、等位結合された要素の「いずれか又は両方」を意味すると理解すべきである。すなわち、要素は、ある場合は接続的に存在し、その他の場合は離接的に存在する。「及び／又は」を用いて列挙される複数の要素も同様に解釈されるべきであり、すなわち、要素のうちの「１つ以上」が等位結合される。「及び／又は」節によって具体的に特定された要素以外の他の要素も、それが具体的に特定された要素に関連していても関連していなくても、任意選択的に存在してよい。したがって、非限定的な例として、「Ａ及び／又はＢ」との参照は、「含む」といった非制限的言語と共に用いられた場合、一実施形態では、Ａのみ（任意選択的にＢ以外の要素を含む）を指し、別の実施形態では、Ｂのみ（任意選択的にＡ以外の要素を含む）を指し、さらに別の実施形態では、Ａ及びＢの両方（任意選択的にその他の要素を含む）を指す。
【００６０】
[0063]  本明細書及び特許請求の範囲に用いられるように、「又は」は、上に定義したような「及び／又は」と同じ意味を有すると理解すべきである。例えば、リストにおけるアイテムを分ける場合、「又は」、又は、「及び／又は」は包括的と解釈される。すなわち、多数の要素又は要素のリストのうちの少なくとも１つを含むが、２つ以上の要素も含み、また、任意選択的に、リストにないアイテムを含むと解釈される。「〜のうちの１つのみ」又は「ちょうど１つの」といった反対を明らかに示す用語、又は、特許請求の範囲に用いられる場合は、「〜からなる」という用語だけが、多数の要素又は要素のリストのうちのまさに１つの要素が含まれることを指す。一般的に、本明細書にて使用される「又は」との用語は、「いずれか」、「〜のうちの１つの」、「〜のうちの１つのみ」、又は「〜のうちのちょうど１つのみ」といった排他的な用語が先行する場合にのみ、排他的な代替（すなわち「一方又は他方であるが、両方ではない」）を示すと解釈される。「本質的に〜からなる」は、特許請求の範囲に用いられる場合、特許法の分野にて用いられる通常の意味を有する。
【００６１】
[0064]  本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。したがって、非限定的な例として、「Ａ及びＢの少なくとも１つ」（又は、同等に「Ａ又はＢの少なくとも１つ」、又は、同等に「Ａ及び／又はＢの少なくとも１つ」）は、一実施形態では、少なくとも１つのＡ（任意選択的に２つ以上のＡを含む）であって、Ｂがない（任意選択的にＢ以外の要素を含む）ことを指し、別の実施形態では、少なくとも１つのＢ（任意選択的に２つ以上のＢを含む）であって、Ａがない（任意選択的にＡ以外の要素を含む）ことを指し、さらに別の実施形態では、少なくとも１つのＡ（任意選択的に２つ以上のＡを含む）と、少なくとも１つのＢ（任意選択的に２つ以上のＢを含む）を指す（任意選択的に他の要素を含む）。
【００６２】
[0065]  さらに、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【００６３】
[0066]  特許請求の範囲においても上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図１】
0006746505.tif 000002
【図２】
0006746505.tif 000003
【図３】
0006746505.tif 000004
【図４】
0006746505.tif 000005